(57)【特許請求の範囲】
【請求項１】
表示装置および当該表示装置に関連付けられた管理端末と接続される情報処理装置であって、
１以上のタグが付された、アート作品の画像データを記憶する記憶部と、
前記表示装置から環境またはユーザに関する情報、前記管理端末から前記表示装置を観るユーザの感情に関する感情情報、または、前記管理端末から前記表示装置を観るユーザの生活ログに関する生活ログ情報の少なくとも一つの情報を受信する受信部と、
前記受信部が受信した情報に基づいて、前記記憶部が記憶するアート作品の中から前記表示装置に表示するための一または複数の画像データを抽出する抽出部と、
前記抽出部により抽出された一または複数の画像データの提案情報を、前記管理端末に送信する提案部と、
前記提案情報に基づく前記管理端末による一の画像データの指定指示を受け付ける受付部と、
前記受付部が受け付けた前記指定指示に基づく前記一の画像データを、前記表示装置に配信する配信部と
を備える情報処理装置。
【請求項２】
前記受信部は、前記表示装置が備えるカメラにより撮像された画像情報を受信し、当該画像情報を解析することにより得られる情報を、前記環境またはユーザに関する情報とすることを特徴とする請求項１に記載の情報処理装置。
【請求項３】
前記情報処理装置は、さらに、クリエータ端末と接続され、
前記受信部は、前記クリエータ端末から前記アート作品の画像データを受信し、
前記記憶部は、前記受信部が受信した前記アート作品の画像データを記憶することを特徴とする請求項１または２に記載の情報処理装置。
【請求項４】
前記情報処理装置は、さらに、ユーザ端末と接続され、
前記ユーザ端末に前記表示装置に表示されている画像データに対応するアート作品に関する情報を送信する送信部を備え、
前記送信部は、前記ユーザ端末から送信された前記表示装置に関する表示情報に基づいて特定された、前記画像データに関する情報を前記ユーザ端末に送信することを特徴とする請求項１、２または３に記載の情報処理装置。
【請求項５】
前記環境に関する情報は、前記表示装置が設置される部屋に関する部屋情報であり、
前記抽出部は、前記部屋情報に基づいて、前記画像データを抽出することを特徴とする請求項１から４のいずれか一項に記載の情報処理装置。
【請求項６】
前記表示装置から受信する前記ユーザに関する情報は、前記表示装置を観るユーザの感情に関する感情情報であることを特徴とする請求項１から５のいずれか一項に記載の情報処理装置。
【請求項７】
前記表示装置から受信する前記ユーザに関する情報は、前記表示装置を観るユーザの生活ログに関する生活ログ情報であることを特徴とする請求項１から６のいずれか一項に記載の情報処理装置。
【請求項８】
前記情報処理装置は、さらに、
前記記憶部が記憶するアート作品の画像データを画像解析する解析部を備え、
前記記憶部は、前記解析部による解析結果に基づいて、前記アート作品の画像データに１以上のタグを自動的に付して記憶することを特徴とする請求項１から７のいずれか一項に記載の情報処理装置。
【請求項９】
表示装置および当該表示装置に関連付けられた管理端末と接続される情報処理装置で実行される情報処理方法であって、
前記情報処理装置に、
前記表示装置から環境またはユーザに関する情報、前記管理端末から前記表示装置を観るユーザの感情に関する感情情報、または、前記管理端末から前記表示装置を観るユーザの生活ログに関する生活ログ情報の少なくとも一つの情報を受信する受信ステップと、
前記受信ステップにおいて受信した情報に基づいて、１以上のタグが付された、アート作品の画像データを記憶する記憶部が記憶するアート作品の中から前記表示装置に表示するための一または複数の画像データを抽出する抽出ステップと、
前記抽出ステップにおいて抽出された一または複数の画像データの提案情報を、前記管理端末に送信する提案ステップと、
前記提案情報に基づく前記管理端末による一の画像データの指定指示を受け付ける受付ステップと、
前記受付ステップにおいて受け付けた前記指定指示に基づく前記一の画像データを、前記表示装置に配信する配信ステップと
を実行させる情報処理方法。
【請求項１０】
表示装置および当該表示装置に関連付けられた管理端末と接続される情報処理装置で実行されるコンピュータプログラムであって、
前記情報処理装置に、
１以上のタグが付された、アート作品の画像データを記憶する記憶機能と、
前記表示装置から環境またはユーザに関する情報、前記管理端末から前記表示装置を観るユーザの感情に関する感情情報、または、前記管理端末から前記表示装置を観るユーザの生活ログに関する生活ログ情報の少なくとも一つの情報を受信する受信機能と、
前記受信機能が受信した情報に基づいて、前記記憶機能が記憶するアート作品の中から前記表示装置に表示するための一または複数の画像データを抽出する抽出機能と、
前記抽出機能により抽出された一または複数の画像データの提案情報を、前記管理端末に送信する提案機能と、
前記提案情報に基づく前記管理端末による一の画像データの指定指示を受け付ける受付機能と、
前記受付機能が受け付けた前記指定指示に基づく前記一の画像データを、前記表示装置に配信する配信機能と
を実現させるコンピュータプログラム。
【発明の詳細な説明】
【技術分野】
【０００１】
本開示は、情報処理システム、情報処理方法およびコンピュータプログラムに関する。
【背景技術】
【０００２】
近年、絵画等のアート作品を貸し出すサービスが開発されている（非特許文献１）。かかるサービスでは、サービス提供会社から絵画が自宅等に配送される。そして、利用者は希望するタイミングで絵画を別の絵画に交換することができる。
【先行技術文献】
【特許文献】
【０００３】
【非特許文献１】“Ｃａｓｉｅ”、株式会社Ｃａｓｉｅ、［令和１年１２月３０日検索］、インターネット＜ＵＲＬ：https://casie.jp/＞
【発明の概要】
【発明が解決しようとする課題】
【０００４】
上記サービスでは、利用者が選んだ絵画または利用者の希望に応じて選ばれた絵画が提供されるが、これらは利用者またはコーディネータによって選ばれるものである。
【０００５】
そのため、選ばれる絵画は利用者またはコーディネータの主観に依存し、配置される場所や用途、および／または、利用者の気分や好みに必ずしも適したものではないという問題があった。
【０００６】
そのため、本開示の目的は、上述した従来技術の問題の少なくとも一部を解決又は緩和する技術的な改善を提供することである。本開示のより具体的な目的の一つは、配置される場所や用途、および／または、利用者の気分や好みに適したアート作品を利用者に簡易な手法で提供することにある。
【課題を解決するための手段】
【０００７】
本開示における情報処理装置は、表示装置および当該表示装置に関連付けられた管理端末と接続される情報処理装置であって、１以上のタグが付された、アート作品の画像データを記憶する記憶部と、表示装置または管理端末から環境またはユーザに関する情報を受信する受信部と、受信部が受信した情報に基づいて、記憶部が記憶するアート作品の中から表示装置に表示するための一または複数の画像データを抽出する抽出部と、抽出部により抽出された一または複数の画像データの提案情報を、管理端末に送信する提案部と、提案情報に基づく管理端末による一の画像データの指定指示を受け付ける受付部と、受付部が受け付けた指定指示に基づく一の画像データを、表示装置に配信する配信部とを備えることを特徴とする。
【０００８】
情報処理装置は、さらに、クリエータ端末と接続され、受信部は、クリエータ端末からアート作品の画像データを受信し、記憶部は、受信部が受信したアート作品の画像データを記憶することができる。
【０００９】
情報処理装置は、さらに、ユーザ端末と接続され、ユーザ端末に表示装置に表示されている画像データに対応するアート作品に関する情報を送信する送信部を備え、送信部は、ユーザ端末から送信された表示装置に関する表示情報に基づいて特定された、画像データに関する情報をユーザ端末に送信することができる。
【００１０】
環境に関する情報は、表示装置が設置される部屋に関する部屋情報であり、抽出部は、部屋情報に基づいて、画像データを抽出することができる。
【００１１】
ユーザに関する情報は、表示装置を観るユーザの感情に関する感情情報であり、抽出部は、感情情報に基づいて、画像データを抽出することができる。
【００１２】
ユーザに関する情報は、表示装置を観るユーザの生活ログに関する生活ログ情報であり、抽出部は、生活ログ情報に基づいて、画像データを抽出することができる。
【００１３】
情報処理装置は、さらに、記憶部が記憶するアート作品の画像データを画像解析する解析部を備え、記憶部は、解析部による解析結果に基づいて、アート作品の画像データに１以上のタグを自動的に付して記憶することができる。
【００１４】
情報処理装置は、さらに、受信部が管理端末から一の画像データに対する購入指示を受け付けて購入処理が完了した場合、当該一の画像データを他の表示装置に表示させないものとすることができる。
【００１５】
情報処理装置は、さらに、受信部が管理端末から一の画像データに対する購入指示を価格と共に受け付けた場合、他の管理端末から一の画像データに対する購入指示を価格と共に受け付ける期間を設定し、当該期間において最高価格を付けた管理端末に対して購入処理を行い、当該購入処理が完了した場合、当該一の画像データを他の表示装置に表示させないものとすることができる。
【００１６】
本開示における情報処理方法は、表示装置および当該表示装置に関連付けられた管理端末と接続される情報処理装置で実行される情報処理方法であって、情報処理装置に、表示装置または管理端末から環境またはユーザに関する情報を受信する受信ステップと、受信ステップにおいて受信した情報に基づいて、１以上のタグが付された、アート作品の画像データを記憶する記憶部が記憶するアート作品の中から表示装置に表示するための一または複数の画像データを抽出する抽出ステップと、抽出ステップにおいて抽出された一または複数の画像データの提案情報を、管理端末に送信する提案ステップと、提案情報に基づく管理端末による一の画像データの指定指示を受け付ける受付ステップと、受付ステップにおいて受け付けた指定指示に基づく一の画像データを、表示装置に配信する配信ステップとを実行させることを特徴とする。
【００１７】
本開示におけるコンピュータプログラムは、表示装置および当該表示装置に関連付けられた管理端末と接続される情報処理装置で実行されるコンピュータプログラムであって、情報処理装置に、１以上のタグが付された、アート作品の画像データを記憶する記憶機能と、表示装置または管理端末から環境またはユーザに関する情報を受信する受信機能と、受信機能が受信した情報に基づいて、記憶機能が記憶するアート作品の中から表示装置に表示するための一または複数の画像データを抽出する抽出機能と、抽出機能により抽出された一または複数の画像データの提案情報を、管理端末に送信する提案機能と、提案情報に基づく管理端末による一の画像データの指定指示を受け付ける受付機能と、受付機能が受け付けた指定指示に基づく一の画像データを、表示装置に配信する配信機能とを実現させることを特徴とする。
【発明の効果】
【００１８】
本開示によれば、上述した従来技術の問題の少なくとも一部を解決又は緩和する技術的な改善を提供することができる。具体的には、本開示によれば、配置される場所や用途、および／または、利用者の気分や好みに適したアート作品を利用者に簡易な手法で提供することができる情報処理装置、情報処理方法およびコンピュータプログラムを提供することができる。
【図面の簡単な説明】
【００１９】
【図１】本開示における情報処理装置のシステム構成の一例を示すシステム構成図である。
【図２】本開示における情報処理装置のハードウェア構成の一例を示すハードウェア構成図である。
【図３】本開示における情報処理装置の機能構成の一例を示す機能構成図である。
【図４】本開示における情報処理装置のシステム構成の他の例を示すシステム構成図である。
【図５】本開示における情報処理装置の機能構成の他の例を示す機能構成図である。
【図６】本開示における情報処理方法のフローの一例を示すフロー図である。
【図７】本開示におけるコンピュータプログラムの回路構成の一例を示す回路構成図である。
【発明を実施するための形態】
【００２０】
初めに、本開示の実施形態に係る情報処理装置の概要について図面を参照しながら説明する。
【００２１】
図１に示されるように、本実施形態における情報処理装置１００は、表示装置２００および当該表示装置２００に関連付けられた管理端末３００と接続されるものである。
【００２２】
一例として、情報処理装置１００はサーバ装置であり、表示装置２００および管理端末３００とインターネットを介して接続される。
【００２３】
そして、情報処理装置１００は、図２に示されるように、プロセッサ１０１と、メモリ１０２と、ストレージ１０３と、入出力インターフェース（入出力Ｉ／Ｆ）１０４と、通信インターフェース（通信Ｉ／Ｆ）１０５とを含む。各構成要素は、バスＢを介して相互に接続される。
【００２４】
情報処理装置１００は、プロセッサ１０１と、メモリ１０２と、ストレージ１０３と、入出力Ｉ／Ｆ１０４と、通信Ｉ／Ｆ１０５との協働により、本実施形態に記載される機能、方法を実現することができる。
【００２５】
プロセッサ１０１は、ストレージ１０３に記憶されるプログラムに含まれるコード又は命令によって実現する機能、及び／又は、方法を実行する。プロセッサ１０１は、例えば、中央処理装置（ＣＰＵ）、ＭＰＵ（Micro Processing Unit）、ＧＰＵ（Graphics Processing Unit）、マイクロプロセッサ（microprocessor）、プロセッサコア（processor core）、マルチプロセッサ（multiprocessor）、ＡＳＩＣ（Application-Specific Integrated Circuit）、ＦＰＧＡ（Field Programmable Gate Array）等を含み、集積回路（ＩＣ（Integrated Circuit）チップ、ＬＳＩ（Large Scale Integration））等に形成された論理回路（ハードウェア）や専用回路によって各実施形態に開示される各処理を実現してもよい。また、これらの回路は、１又は複数の集積回路により実現されてよく、各実施形態に示す複数の処理を１つの集積回路により実現されることとしてもよい。また、ＬＳＩは、集積度の違いにより、ＶＬＳＩ、スーパーＬＳＩ、ウルトラＬＳＩ等と呼称されることもある。
【００２６】
メモリ１０２は、ストレージ１０３からロードしたプログラムを一時的に記憶し、プロセッサ１０１に対して作業領域を提供する。メモリ１０２には、プロセッサ１０１がプログラムを実行している間に生成される各種データも一時的に格納される。メモリ１０２は、例えば、ＲＡＭ（Random Access Memory）、ＲＯＭ（Read Only Memory）等を含む。
【００２７】
ストレージ１０３は、プログラムを記憶する。ストレージ１０３は、例えば、ＨＤＤ（Hard Disk Drive）、ＳＳＤ（Solid State Drive）、フラッシュメモリ等を含む。
【００２８】
通信Ｉ／Ｆ１０５は、ネットワークアダプタ等のハードウェアや通信用ソフトウェア、及びこれらの組み合わせとして実装され、ネットワークを介して各種データの送受信を行う。当該通信は、有線、無線のいずれで実行されてもよく、互いの通信が実行できるのであれば、どのような通信プロトコルを用いてもよい。通信Ｉ／Ｆ１０５は、ネットワークを介して、他の情報処理装置との通信を実行する。通信Ｉ／Ｆ１０５は、各種データをプロセッサ１０１からの指示に従って、他の情報処理装置に送信する。また、通信Ｉ／Ｆ１０５は、他の情報処理装置から送信された各種データを受信し、プロセッサ１０１に伝達する。
【００２９】
入出力Ｉ／Ｆ１０４は、情報処理装置１００に対する各種操作を入力する入力装置、及び、情報処理装置１００で処理された処理結果を出力する出力装置を含む。入出力Ｉ／Ｆ１０４は、入力装置と出力装置が一体化していてもよいし、入力装置と出力装置とに分離していてもよい。
【００３０】
入力装置は、ユーザからの入力を受け付けて、当該入力に係る情報をプロセッサ１０１に伝達できる全ての種類の装置のいずれか、又は、その組み合わせにより実現される。入力装置は、例えば、タッチパネル、タッチディスプレイ、キーボード等のハードウェアキーや、マウス等のポインティングデバイス、カメラ（画像を介した操作入力）、マイク（音声による操作入力）を含む。
【００３１】
出力装置は、プロセッサ１０１で処理された処理結果を出力する。出力装置は、例えば、タッチパネル、スピーカ等を含む。
【００３２】
表示装置２００は、有機ＥＬ、プラズマディスプレイ、ＬＣＤ（液晶ディスプレイ）、ＬＥＤ（発光ダイオード）、ＶＦＤ（蛍光表示管）、映像プロジェクタなどによって文字・動画・静止画を表示可能なモニタを備える装置とすることができる。
【００３３】
表示装置２００は、一例として、上記モニタに加え、上述した情報処理装置１００と同様のハードウェア構成を備えるデジタルサイネージとすることができる。
【００３４】
かかる表示装置２００の設置場所は、学校、病院、マンションのエントランス、オフィス、お店、個人宅などとすることができる。
【００３５】
管理端末３００は、スマートフォン端末、タブレット端末、パーソナルコンピュータ等とすることができ、上述した情報処理装置１００と同様のハードウェア構成を備えるのが好ましい。
【００３６】
また、表示装置２００と管理端末３００とはインターネット、ＬＡＮまたＢＬＥ等の技術により接続されてもよい。
【００３７】
そして、情報処理装置１００は、図３に示されるように、記憶部１１０と、受信部１２０と、抽出部１３０と、提案部１４０と、受付部１５０と、配信部１６０とを備えることを特徴とする。
【００３８】
記憶部１１０は、アート作品の画像データを記憶する。
【００３９】
ここでいうアート作品は、クリエータにより制作された作品である。本開示において、アート作品は一例として絵画であるものとして説明を行うが、これに限定されるものではない。
【００４０】
画像データは、一例として、アート作品をスキャン装置によりデジタル化したものとすることができる。例えば、クリエータは、自身のアート作品をスキャン装置によりデジタル化し、自身の端末を介して情報処理装置１００の記憶部１１０に記憶させる（アップロードする）ことができる。
【００４１】
そして、アート作品の画像データには、１以上のタグが付されているものとする。
【００４２】
ここでいうタグは、後述する画像データの抽出を行う際に用いられるものであって、例えば、クリエータ情報、画材情報、サイズ情報、色情報、モデル情報、価格情報などに関するものとすることができる。
【００４３】
クリエータ情報には、例えば、クリエータの名前、性別、年齢、国籍、居住地、他の作品に関する情報などが含まれる。画材情報には、例えば、水彩、油彩、アクリルなどの情報が含まれる。サイズ情報には、例えば、Ｈ（高さ）×Ｄ（幅）などの情報が含まれる。色情報には、例えば、寒色系、暖色系などの情報が含まれる。モデル情報は、例えば、人物、植物、抽象などの情報が含まれる。価格情報は、例えば、価格帯などの情報が含まれる。なお、タグに含まれる情報は、ここで挙げたものに限られるものではなく、あらゆる情報が含まれてもよい。
【００４４】
受信部１２０は、表示装置２００または管理端末３００から環境またはユーザに関する情報を受信する。
【００４５】
環境に関する情報は、例えば、表示装置２００が配置される空間に関する情報である。空間に関する情報は、一例として、部屋の壁の色、部屋の広さ、家の間取り等の部屋に関する情報である。また、空間に関する情報には、部屋に関する情報の他、温度、湿度、明るさ、天気等に関する情報が含まれてもよい。なお、ここでいう家の間取りに関する情報は、表示装置２００が配置される部屋がダイニングなのか、寝室なのかといった判断を行う際に用いられる。
【００４６】
かかる環境に関する情報は、表示装置２００が備えるカメラ等から受信した画像を解析することにより得るものとしてもよいし、管理端末３００からユーザにより入力されるものとしてもよい。
【００４７】
また、ユーザに関する情報は、例えば、画像データを観る者であるユーザに関する情報である。ユーザに関する情報とは、例えば、ユーザの生活行動や気分などとすることができる。
【００４８】
かかるユーザに関する情報は、表示装置２００が備えるカメラ等から受信した画像を解析することにより得るものとしてもよいし、管理端末３００からユーザにより入力されるものとしてもよい。
【００４９】
抽出部１３０は、受信部１２０が受信した情報に基づいて、記憶部１１０が記憶するアート作品の中から表示装置２００に表示するための一または複数の画像データを抽出する。
【００５０】
一例として、抽出部１３０は、環境またはユーザに関する情報に基づいて、予め記憶されたデータベースから画像データを抽出するものであってもよいし、機械学習の技術により自動で構築されたデータベースから抽出されるものであってもよい。前者の場合には、環境またはユーザに関する情報と上述したタグとを関連付けて上記記憶部１１０に記憶しておく。後者の場合には、抽出部１３０は、表示装置２００に表示されたアートを観たユーザや他のユーザからのフィードバック情報を基に機械学習を行い、記憶部１１０が記憶するアート作品の中から表示装置２００に表示するための一または複数の画像データを抽出する。
【００５１】
提案部１４０は、提案情報を、管理端末３００に送信する。提案情報は抽出部１３０により抽出された一または複数の画像データである。
【００５２】
受付部１５０は、提案情報に基づく管理端末３００による一の画像データの指定指示を受け付ける。
【００５３】
すなわち、ユーザは、管理端末３００に表示された一または複数の画像データの中から、一の画像データを指定することができる。
【００５４】
そして、配信部１６０は、受付部１５０が受け付けた指定指示に基づく一の画像データを、表示装置２００に配信する。
【００５５】
かかる配信の回数には、ユーザと本開示により実現されるサービスとの契約内容に応じて制限が設けられるものとしてもよい。例えば、月額５，０００円のプランでは配信がひと月に３回まで可能であるのに対し、月額１０，０００円のプランでは配信がひと月に７回まで可能であるものとしてもよい。
【００５６】
かかる構成によれば、上述した従来技術の問題の少なくとも一部を解決又は緩和する技術的な改善を提供することができる。具体的には、本開示の構成によれば、配置される場所や用途、および／または、利用者の気分や好みに適したアート作品を利用者に簡易な手法で提供することができる。
【００５７】
特に、抽出部１３０による環境またはユーザに関する情報に基づく画像データの自動抽出は、ユーザまたはコーディネータ等による画像データの選択作業の負担を軽減することができるのに加え、ユーザに対して新たな分野のアートとの出会いの機会を提供することができる。
【００５８】
また、上記構成によれば、アート作品の実物のレンタルではなく、画像データを配信するものであるので、実物のアート作品の汚染・破損を恐れることなく、気軽にアート作品に親しむことが可能となる。
【００５９】
さらに、詳細は後述するが、情報処理装置１００の記憶部１１０に多種多様なアート作品の画像データが記憶されることにより、ユーザが、画廊、百貨店や展覧会等で販売されるような有名アーティストのアート作品のみならず、これらの会場には未だ並んでいない無名のアーティストのアート作品を見出すきっかけを作ることができるようになる。
【００６０】
また、詳細は後述するが、ユーザは、気に入ったアート作品の実物を購入することもでき、アート作品の流通を促進することができる。
【００６１】
図４に示されるように、情報処理装置１００は、さらに、クリエータ端末４００と接続されることができる。
【００６２】
クリエータ端末４００は、スマートフォン端末、タブレット端末、パーソナルコンピュータ等とすることができ、上述した情報処理装置１００と同様のハードウェア構成を備えるのが好ましい。
【００６３】
このとき、受信部１２０は、クリエータ端末４００からアート作品の画像データを受信し、記憶部１１０は、受信部１２０が受信したアート作品の画像データを記憶することができる。
【００６４】
かかる構成によれば、クリエータは自身のアート作品を簡易に世に出すことが可能となる。
【００６５】
また、本開示における情報処理装置１００は、クリエータ端末４００から受信したアート作品の画像データに不適切なものが含まれていないかをチェックするチェック部を備えてもよい。かかるチェック部は、既知の画像解析技術を用いて不適切なシンボルや描写がある場合には、管理者に対してアラートを出したり、不適切なものが含まれる旨のタグをつけたりすることができる。
【００６６】
情報処理装置１００は、さらに、ユーザ端末５００と接続されることができる。
【００６７】
ユーザ端末５００は、表示装置２００に表示されたアートを観ることができるユーザの端末であれば特に限定されるものではなく、ユーザとは異なる他のユーザの端末も含まれる。
【００６８】
ユーザ端末５００は、スマートフォン端末、タブレット端末、パーソナルコンピュータ等とすることができ、上述した情報処理装置１００と同様のハードウェア構成を備えるのが好ましい。
【００６９】
このとき、図５に示すように、情報処理装置１００は、送信部１７０を備える。
【００７０】
送信部１７０は、ユーザ端末５００に表示装置２００に表示されている画像データに対応するアート作品に関する情報を送信する。
【００７１】
具体的には、送信部１７０は、ユーザ端末５００から送信された表示装置２００に関する表示情報に基づいて特定された、画像データに関する情報をユーザ端末に送信する。
【００７２】
具体的には、ユーザはおよび他のユーザは、表示装置２００に自身のユーザ端末５００をかざすことで、表示装置２００から表示情報を受け取ることができる。表示情報には、表示装置２００を特定するための識別番号および時刻が含まれることができる。
【００７３】
情報処理装置１００は、ユーザ端末５００から受信した上記表示情報に基づいて、該当する表示装置２００に表示されていた画像データを特定し、かかる画像データに関する情報をユーザ端末５００に送信する。
【００７４】
画像データに関する情報とは、例えば、上述したクリエータ情報等とすることができる。また、送信部１７０は、画像データに関する情報として、クリエータからのメッセージ等を記録した動画を送信してもよい。
【００７５】
なお、表示装置２００とユーザ端末５００とは、ＢＬＥの技術またはＲＦＩＤの技術を用いて非接触式で情報の送受信を行うのが好ましい。ＱＲコード（登録商標）等の画像の表示などはアートの鑑賞を妨げるおそれがあるため好ましくない。
【００７６】
上述した環境に関する情報は、表示装置２００が設置される部屋に関する部屋情報であり、抽出部１３０は、部屋情報に基づいて、画像データを抽出することができる。
【００７７】
部屋情報は、一例として、部屋の壁の色、部屋の広さ、家の間取り等の部屋に関する情報である。これらの詳細については上述したとおりである。
【００７８】
ユーザに関する情報は、表示装置２００を観るユーザの感情に関する感情情報であり、抽出部１３０は、感情情報に基づいて、画像データを抽出することができる。
【００７９】
感情情報は、一例として、ユーザの気分に関する情報である。
【００８０】
かかる気分に関する情報は、例えば、管理端末３００に対してユーザにより入力されたものとすることもできるし、ユーザが装着したウェアラブル端末から管理端末３００に対して入力されたものとすることもできる。
【００８１】
ウェアラブル端末の例としては、時計型の端末や眼鏡型の端末が挙げられ、これらウェアラブル端末によりユーザの心拍や視線等に関する情報が取得される。そして、情報処理装置１００が、かかる情報を用いてユーザの気分を推定するものとしてもよい。
【００８２】
気分の例としては、「楽しい」「悲しい」「うれしい」「怒っている」などである。
【００８３】
ユーザに関する情報は、表示装置２００を観るユーザの生活ログに関する生活ログ情報であり、抽出部１３０は、生活ログ情報に基づいて、画像データを抽出することができる。
【００８４】
生活ログ情報は、例えば、管理端末３００に対してユーザにより入力されたものとすることもできるし、ユーザが装着したウェアラブル端末や携帯するスマートフォン等から管理端末３００に対して入力されたものとすることもできる。
【００８５】
ウェアラブル端末の例としては、時計型の端末や眼鏡型の端末が挙げられ、これらウェアラブル端末やスマートフォンによりユーザの起床時間や行動範囲等に関する情報が取得される。
【００８６】
情報処理装置１００は、さらに、記憶部１１０が記憶するアート作品の画像データを画像解析する解析部１８０を備えることができる。
【００８７】
このとき、記憶部１１０は、解析部１８０による解析結果に基づいて、アート作品の画像データに１以上のタグを自動的に付して記憶する。
【００８８】
かかる画像解析については既知の技術を用いることで実現が可能である。
【００８９】
情報処理装置１００は、さらに、受信部１２０が管理端末３００から一の画像データに対する購入指示を受け付けて購入処理が完了した場合、当該一の画像データを他の表示装置に表示させないものとする。
【００９０】
かかる構成によれば、気に入ったアート作品はいち早く購入しようという意欲を向上させることができる。
【００９１】
情報処理装置１００は、さらに、受信部１２０が管理端末３００から一の画像データに対する購入指示を価格と共に受け付けた場合、他の管理端末から一の画像データに対する購入指示を価格と共に受け付ける期間を設定することができる。
【００９２】
そして、情報処理装置１００は、当該期間において最高価格を付けた管理端末に対して購入処理を行う。
【００９３】
そして、上記と同様に、当該購入処理が完了した場合、情報処理装置１００は、当該一の画像データを他の表示装置に表示させないものとする。
【００９４】
かかる構成によれば、アート作品オークション形式で販売することができるようになる。
【００９５】
以上、本開示によれば、上述した従来技術の問題の少なくとも一部を解決又は緩和する技術的な改善を提供することができる。具体的には、本開示の構成によれば、配置される場所や用途、および／または、利用者の気分や好みに適したアート作品を利用者に簡易な手法で提供することができる。
【００９６】
特に、抽出部１３０による環境またはユーザに関する情報に基づく画像データの自動抽出は、ユーザまたはコーディネータ等による画像データの選択作業の負担を軽減することができるのに加え、ユーザに対して新たな分野のアートとの出会いの機会を提供することができる。
【００９７】
また、上記構成によれば、アート作品の実物のレンタルではなく、画像データを配信するものであるので、実物のアート作品の汚染・破損を恐れることなく、気軽にアート作品に親しむことが可能となる。
【００９８】
さらに、情報処理装置１００の記憶部１１０に多種多様なアート作品の画像データが記憶されることにより、ユーザが、画廊、百貨店や展覧会等で販売されるような有名アーティストのアート作品のみならず、これらの会場には未だ並んでいない無名のアーティストのアート作品を見出すきっかけを作ることができるようになる。
【００９９】
また、ユーザは、気に入ったアート作品の実物を購入することもでき、アート作品の流通を促進することができる。
【０１００】
続いて、本開示における情報処理方法の実施形態について図面を参照しながら説明する。
【０１０１】
本開示における情報処理方法は、図６に示されるように、表示装置および当該表示装置に関連付けられた管理端末と接続される情報処理装置で実行される情報処理方法であって、情報処理装置に、受信ステップＳ１２０と、抽出ステップＳ１３０と、提案ステップＳ１４０と、受付ステップＳ１５０と、配信ステップＳ１６０とを実行させることを特徴とする。
【０１０２】
受信ステップＳ１２０は、表示装置または管理端末から環境またはユーザに関する情報を受信する。かかる受信ステップＳ１２０は、上述した受信部１２０により実行されることができる。
【０１０３】
抽出ステップＳ１３０は、受信ステップＳ１２０において受信した情報に基づいて、１以上のタグが付された、アート作品の画像データを記憶する記憶部が記憶するアート作品の中から表示装置に表示するための一または複数の画像データを抽出する。かかる抽出ステップＳ１３０は、上述した抽出部１３０により実行されることができる。
【０１０４】
提案ステップＳ１４０は、抽出ステップＳ１３０において抽出された一または複数の画像データの提案情報を、管理端末に送信する。かかる提案ステップＳ１４０は、上述した提案部１４０により実行されることができる。
【０１０５】
受付ステップＳ１５０は、提案情報に基づく管理端末による一の画像データの指定指示を受け付ける。かかる受付ステップＳ１５０は、上述した受付部１５０により実行されることができる。
【０１０６】
配信ステップＳ１６０は、受付ステップＳ１５０において受け付けた指定指示に基づく一の画像データを、表示装置に配信する。かかる配信ステップＳ１６０は、上述した配信部１６０により実行されることができる。
【０１０７】
以上の構成によれば、上述した従来技術の問題の少なくとも一部を解決又は緩和する技術的な改善を提供することができる。具体的には、本開示の構成によれば、配置される場所や用途、および／または、利用者の気分や好みに適したアート作品を利用者に簡易な手法で提供することができる。
【０１０８】
最後に本開示におけるコンピュータプログラムの実施形態について図面を参照しながら説明する。
【０１０９】
本開示におけるコンピュータプログラムは、表示装置および当該表示装置に関連付けられた管理端末と接続される情報処理装置で実行されるコンピュータプログラムであって、情報処理装置に、記憶機能と、受信機能と、抽出機能と、受付機能と、配信機能とを実現させることを特徴とする。
【０１１０】
記憶機能は、１以上のタグが付された、アート作品の画像データを記憶する。
【０１１１】
受信機能は、表示装置または管理端末から環境またはユーザに関する情報を受信する。
【０１１２】
抽出機能は、受信機能が受信した情報に基づいて、記憶機能が記憶するアート作品の中から表示装置に表示するための一または複数の画像データを抽出する。
【０１１３】
提案機能は、抽出機能により抽出された一または複数の画像データの提案情報を、管理端末に送信する。
【０１１４】
受付機能は、提案情報に基づく管理端末による一の画像データの指定指示を受け付ける。
【０１１５】
配信機能は、受付機能が受け付けた指定指示に基づく一の画像データを、表示装置に配信する。
【０１１６】
上記機能は、図７に示す記憶回路１１１０、受信回路１１２０、抽出回路１１３０、提案回路１１４０、受付回路１１５０、配信回路１１６０により実現されることができる。記憶回路１１１０、受信回路１１２０、抽出回路１１３０、提案回路１１４０、受付回路１１５０、配信回路１１６０は、それぞれ上述した記憶部１１０、受信部１２０、抽出部１３０、提案部１４０、受付部１５０、配信部１６０により実現されるものとする。各部の詳細については上述したとおりである。
【０１１７】
以上の構成によれば、上述した従来技術の問題の少なくとも一部を解決又は緩和する技術的な改善を提供することができる。具体的には、本開示の構成によれば、配置される場所や用途、および／または、利用者の気分や好みに適したアート作品を利用者に簡易な手法で提供することができる。
【０１１８】
また、上述した実施形態に係るサーバ装置又は端末装置として機能させるために、コンピュータ又は携帯電話などの情報処理装置を好適に用いることができる。このような情報処理装置は、実施形態に係るサーバ装置又は端末装置の各機能を実現する処理内容を記述したプログラムを、情報処理装置の記憶部に格納し、情報処理装置のＣＰＵによって当該プログラムを読み出して実行させることによって実現可能である。
【０１１９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【０１２０】
また、実施形態に記載した手法は、計算機（コンピュータ）に実行させることができるプログラムとして、例えば磁気ディスク（フロッピー（登録商標）ディスク、ハードディスク等）、光ディスク（ＣＤ−ＲＯＭ、ＤＶＤ、ＭＯ等）、半導体メモリ（ＲＯＭ、ＲＡＭ、フラッシュメモリ等）等の記録媒体に格納し、また通信媒体により伝送して頒布することもできる。なお、媒体側に格納されるプログラムには、計算機に実行させるソフトウェア手段（実行プログラムのみならずテーブルやデータ構造も含む）を計算機内に構成させる設定プログラムをも含む。本装置を実現する計算機は、記録媒体に記録されたプログラムを読み込み、また場合により設定プログラムによりソフトウェア手段を構築し、このソフトウェア手段によって動作が制御されることにより上述した処理を実行する。なお、本明細書でいう記録媒体は、頒布用に限らず、計算機内部あるいはネットワークを介して接続される機器に設けられた磁気ディスクや半導体メモリ等の記憶媒体を含むものである。記憶部は、例えば主記憶装置、補助記憶装置、又はキャッシュメモリとして機能してもよい。
【符号の説明】
【０１２１】
１００  情報処理装置
１１０  記憶部
１２０  受信部
１３０  抽出部
１４０  提案部
１５０  受付部
１６０  配信部
１７０  送信部
１８０  解析部
２００  表示装置
３００  管理端末
４００  クリエータ端末
５００  ユーザ端末
【要約】
【課題】  配置される場所や用途、および／または、利用者の気分や好みに適したアート作品を利用者に簡易な手法で提供する。
【解決手段】  表示装置および当該表示装置に関連付けられた管理端末と接続される情報処理装置であって、１以上のタグが付された、アート作品の画像データを記憶する記憶部と、表示装置または管理端末から環境またはユーザに関する情報を受信する受信部と、受信部が受信した情報に基づいて、記憶部が記憶するアート作品の中から表示装置に表示するための一または複数の画像データを抽出する抽出部と、抽出部により抽出された一または複数の画像データの提案情報を、管理端末に送信する提案部と、提案情報に基づく管理端末による一の画像データの指定指示を受け付ける受付部と、受付部が受け付けた指定指示に基づく一の画像データを、表示装置に配信する配信部とを備える。
【選択図】    図１【図１】
0006799342.tif 000002
【図２】
0006799342.tif 000003
【図３】
0006799342.tif 000004
【図４】
0006799342.tif 000005
【図５】
0006799342.tif 000006
【図６】
0006799342.tif 000007
【図７】
0006799342.tif 000008